(57)【要約】【課題】  規格化された床枠を使用することにより、束柱と支柱を簡単・容易に立設することができ、強固な小間を作り上げることができると共に、床面中央にいろり部（こたつ部）を形成でき、癒しの空間を作ることができる小間組立ユニット及び組立方法を提供する。【解決手段】  床枠本体の少なくとも３箇所に、束柱用柱枠を設けると共に、少なくとも１箇所に支柱用柱枠を設けてなる床枠と、束柱用柱枠に取り付ける束柱と、支柱用柱枠に取り付ける支柱と、床枠に敷設する床板と、支柱の上部に取り付ける天井枠とからなることを特徴とする。【選択図】  図１
2005068982.tif 000002
【特許請求の範囲】
【請求項１】
床枠本体の少なくとも３箇所に、束柱用柱枠を設けると共に、少なくとも１箇所に支柱用柱枠を設けてなる床枠と、束柱用柱枠に取り付ける束柱と、支柱用柱枠に取り付ける支柱と、床枠に敷設する床板と、支柱の上部に取り付ける天井枠とからなることを特徴とする小間組立ユニット。
【請求項２】
４枚の床枠を設け、中央に空間部を形成し、この空間部にいろり部あるいはこたつ部を設けてなることを特徴とする請求項１記載の小間組立ユニット。
【請求項３】
いろり部が、周囲にレンガを設けると共に、内側に上下スライド可能ないろり枠を設けてなることを特徴とする請求項１又は２記載の小間組立ユニット。
【請求項４】
束柱と束柱間及び／または束柱と支柱間に引出しを設けてなることを特徴とする請求項１、２又は３記載の小間組立ユニット。
【請求項５】
床枠の束柱用柱枠に束柱を挿入して仮止めし、複数の床枠を連結し、中央に空間部を設け、水平器にてレベル調整した後、束柱を固定し、支柱用柱枠に支柱を挿入し、水平器にてレベル調整し、支柱を固定し、床枠上に床板を敷設し、支柱上部に天井枠を取り付け、空間部の周囲及び底面に断熱材を敷設し、内側にいろり枠を設けることを特徴とする組立方法。
【発明の詳細な説明】
【技術分野】
【０００１】  本発明は、癒しの空間として、いろりやこたつを設けてなる小間組立ユニット及び組立方法に関するものである。
【背景技術】
【０００２】  背景技術としては、四隅にそれぞれ柱を立て、各柱の下部では各柱間に土台枠をさしわたして柱間を固定し、各柱の上部では各柱間に幕板をさしわたして柱間を固定し、土台枠内に床材を敷き詰め、各柱と各幕板とに跨って天井板を乗せてなる組立小間がある。（特許文献１参照）【０００３】
【特許文献１】  特開２００２−３０９７８６号公報（請求項１、図３）
【発明の開示】
【発明が解決しようとする課題】
【０００４】  しかしながら、上記のようなものは、単品部材をキット化したに過ぎず、特に床面に空間部を設ける等の構造的工夫がされていない。
また、土台枠に床材を敷き詰める形態であり、直接家屋の床面に設置するため空気の流通ができず、内部にカビ等が発生する危険性がある。
さらに、組立する上においても、各柱間に幕板をさしわたして柱間を固定する手段であり、支持力（固定力）に不安を残すものである。【０００５】  本発明は、上記の問題点に鑑みなされたもので、規格化された床枠を使用することにより、束柱と支柱を簡単・容易に立設することができ、強固な小間を作り上げることができると共に、床面中央にいろり部（こたつ部）を形成でき、癒しの空間を作ることができる小間組立ユニット及び組立方法を提供することを目的とする。
【課題を解決するための手段】
【０００６】  課題を解決するための手段として、床枠本体の少なくとも３箇所に、束柱用柱枠を設けると共に、少なくとも１箇所に支柱用柱枠を設けてなる床枠と、束柱用柱枠に取り付ける束柱と、支柱用柱枠に取り付ける支柱と、床枠に敷設する床板と、支柱の上部に取り付ける天井枠とからなること。また、４枚の床枠を設け、中央に空間部を形成し、この空間部にいろり部あるいはこたつ部を設けてなること。さらに、いろり部が、周囲にレンガを設けると共に、内側に上下スライド可能ないろり枠を設けてなること。さらにまた、束柱と束柱間及び／または束柱と支柱間に引出しを設けてなることを特徴とする小間組立ユニット。その上、床枠の束柱用柱枠に束柱を挿入して仮止めし、複数の床枠を連結し、中央に空間部を設け、水平器にてレベル調整した後、束柱を固定し、支柱用柱枠に支柱を挿入し、水平器にてレベル調整し、支柱を固定し、床枠上に床板を敷設し、支柱上部に天井枠を取り付け、空間部の周囲及び底面に断熱材を敷設し、内側にいろり枠を設けることを特徴とする組立方法。
【発明の効果】
【０００７】１）、床枠に束柱用柱枠を設けることにより、束柱を簡単・容易に、しかも確実に立設することができ強固な土台を形成できる。
２）、床枠に支柱用柱枠を設けることにより、支柱を簡単・容易に、しかも確実に立設することができ強固な土台を形成できる。
３）、４枚の床枠により、中央に空間部を形成し、いろり部あるいはこたつ部を設けることができ、癒しの空間を演出できる。
４）、いろり部に、断熱材としてレンガ等を使用することにより、保温効果を高め、火事の心配もない。
５）、いろり部に、上下にスライドするいろり枠を設けることにより、深さを自由に設定できる。
６）、束柱・支柱間等に引出しを設けることにより、多目的に使用できる。
７）、組立方法においては、床枠に束柱と支柱を簡単・容易に、しかも強固に固定でき、作業手順も簡単で、素人でも組立られるもので、中央のいろり部もレンガ等といろり枠の組み合わせにより、安全に組立られる。
【発明を実施するための最良の形態】
【実施例１】
【０００８】  まず、小間組立ユニットについて説明する。
床枠１は、床枠本体１ａ内に、支持板１ｂ−−−と受板１ｃ−−−により形成してなる束柱用柱枠１ｄを５箇所、支柱用柱枠１ｅを１箇所設けてある。
束柱２は、上記床枠１の束柱用柱枠１ｄに取り付けるものである。（この実施例の場合、５本）
支柱３は、上記床枠１の支柱用柱枠１ｅに取り付けるものである。（この実施例の場合、１本）
床板４は、上記床枠１上に敷設するもので、上記支柱３を通すための切欠部４ａを設けてなるものである。
なお、素材は木材でも畳でもよい。
欄間５は、飾板５ａの上下に置板５ｂを設けると共に、両側に飾柱（図示せず）を取り付ける溝５ｃを形設してなるものであり、上記支柱３の上部に取り付けるものである。（なお、模様は省略してある）
天井枠６は、断面Ｌ字形に形成してなる天井枠本体６ａの内側に、格子枠６ｂ及び中央板６ｃを架設してなるものである。
いろり部７は、外周及び底面にレンガ７ａを設け、その内側に上下スライド可能な箱形のいろり枠７ｂを設けてなるものである。
なお、いろり枠７ｂは銅製とし、内部に砂Ｓや灰Ｈを入れ、その上に炭ＳＭを置くものである。
さらに、いろり枠７ｂの中をカラにして、足温器（図示せず）を入れ、こたつとして使用することもできる。【０００９】  また、必要に応じて引出し８を、束柱２・２間及び束柱２と支柱３間に設けてなる。
【実施例２】
【００１０】  つぎに、小間組立ユニットの組立方法について説明する。
１）、床枠１の束柱用柱枠１ｄ−−−に束柱２を挿入してビス（図示せず）等にて仮止めする。（図１５参照）
２）、上記床枠１を４つ、ボルト（図示せず）にて連結し、中央に空間部Ｋを設ける。（図１６参照）
３）、連結後、水平器Ｒにてレベル調整（水平調整）し、束柱２−−−を調整し、ビス等にて固定する。（図１７参照）
４）、各床枠１の支柱用柱枠１ｅに支柱３（この実施例の場合、４本）を挿入し、水平器Ｒにてレベル調整（垂直調整）し、ビス（図示せず）等にて固定する。（図１８参照）
５）、床枠１の上に床板４を敷設（４板）する。（図１９参照）
６）、必要に応じて床枠１（床板４）の外周に幕板Ｍをクギ止めする。（図２０参照）
７）、支柱３の上部に欄間５を金具Ｌにて架設する。（図２１参照）
８）、欄間５の溝５ｃに、飾柱ＫＢを取り付ける。（図２２参照）
９）、欄間５の上部に、天井枠６をビス（図示せず）等にて取り付ける。（図２３参照）
１０）、空間部Ｋ内に、必要に応じて中板Ｎをクギ（図示せず）等にて固定し、その内側にレンガ７ａを設ける。（図２４参照）
１１）、レンガ７ａの内側にいろり枠７ｂを設けて、組立を完了する。（図２５参照）
なお、組立を完了した完成図を図２６に示す。
【産業上の利用可能性】
【００１１】  上記実施例の構成により、規格化された床枠により、束柱や支柱を誰でも簡単・容易に、しかも確実・強固に立設でき、いろりやこたつ等、多目的に使用でき、癒し空間を演出でき、産業上の利用可能性は大きいといえる。
なお、必要に応じて障子、すだれ、自在かぎ等も付設できるものである。
【図面の簡単な説明】
【００１２】
【図１】本発明の小間組立ユニットの床枠の斜視図。
【図２】本発明の小間組立ユニットの束柱の斜視図。
【図３】本発明の小間組立ユニットの支柱の正面図。
【図４】本発明の小間組立ユニットの床板の斜視図。
【図５】本発明の小間組立ユニットの欄間の正面図。
【図６】本発明の小間組立ユニットの欄間の側面図。
【図７】本発明の小間組立ユニットの天井枠本体の斜視図。
【図８】本発明の小間組立ユニットの天井枠本体の平面図。
【図９】本発明の小間組立ユニットのいろり部のいろり枠の斜視図。
【図１０】本発明の小間組立ユニットのいろり部のいろり枠の端面図。
【図１１】本発明の小間組立ユニットのいろり部の斜視図。
【図１２】本発明の小間組立ユニットのいろり部の使用状態の斜視図。
【図１３】本発明の小間組立ユニットの引出しの斜視図。
【図１４】本発明の小間組立ユニットの引出しの使用状態の正面図。
【図１５】本発明の小間組立ユニットの組立方法の第１工程斜視図。
【図１６】本発明の小間組立ユニットの組立方法の第２工程平面図。
【図１７】本発明の小間組立ユニットの組立方法の第３工程正面図。
【図１８】本発明の小間組立ユニットの組立方法の第４工程正面図。
【図１９】本発明の小間組立ユニットの組立方法の第５工程正面図。
【図２０】本発明の小間組立ユニットの組立方法の第６工程斜視図。
【図２１】本発明の小間組立ユニットの組立方法の第７工程正面図。
【図２２】本発明の小間組立ユニットの組立方法の第８工程正面図。
【図２３】本発明の小間組立ユニットの組立方法の第９工程正面図。
【図２４】本発明の小間組立ユニットの組立方法の第１０工程正面図。
【図２５】本発明の小間組立ユニットの組立方法の第１１工程斜視図。
【図２６】本発明の小間組立ユニットの組立方法の組立完成の斜視図。
【符号の説明】
【００１３】１−−−床枠
２−−−束柱
３−−−支柱
４−−−床板
５−−−欄間
６−−−天井枠
７−−−いろり部
【図１】
2005068982.tif 000003
【図２】
2005068982.tif 000004
【図３】
2005068982.tif 000005
【図４】
2005068982.tif 000006
【図５】
2005068982.tif 000007
【図６】
2005068982.tif 000008
【図７】
2005068982.tif 000009
【図８】
2005068982.tif 000010
【図９】
2005068982.tif 000011
【図１０】
2005068982.tif 000012
【図１１】
2005068982.tif 000013
【図１２】
2005068982.tif 000014
【図１３】
2005068982.tif 000015
【図１４】
2005068982.tif 000016
【図１５】
2005068982.tif 000017
【図１６】
2005068982.tif 000018
【図１７】
2005068982.tif 000019
【図１８】
2005068982.tif 000020
【図１９】
2005068982.tif 000021
【図２０】
2005068982.tif 000022
【図２１】
2005068982.tif 000023
【図２２】
2005068982.tif 000024
【図２３】
2005068982.tif 000025
【図２４】
2005068982.tif 000026
【図２５】
2005068982.tif 000027
【図２６】
2005068982.tif 000028